(57)【要約】      （修正有）【課題】垂直固定部材から垂直に吊り下げられた複数のパネルを含む、ウィンドウカバーを提供する。【解決手段】パネル２２が積み重ねられる時、固定紐１８はウィンドウカバー１０の面４２の背後に折り曲げられ、又は集められる。紐止め１４などの操作機構をロックすることにより、開放部材１６はパネル２２ａ〜２２ｆを正しい位置に保持する。パネル２２ａ〜２２ｆの一部重なり合う関係が完全に閉じた位置、部分的に開いた位置、及び完全に開いた位置において保持されるので、固定紐１８はウィンドウカバーの前面からは見えない。パネル２２ａ〜２２ｆは、留め具モジュール４６を用いて固定紐１８に取り外し可能に固定されることが好ましい。【選択図】図６
2006283496.tif 000002
【特許請求の範囲】
【請求項１】
ウィンドウカバーであって、
少なくとも１つの開放部材の垂直方向の調整を行なうように適合された、少なくとも１つの操作機構を含む頭部レールと、
固定部材と、
複数の中間パネル及び最下段パネルであって、各パネルはパネルの上部長手方向部分近くで固定部材に固定され、パネルは固定部材に沿って一定間隔で固定部材に固定され、各パネルの下部長手方向部分が固定部材から分離してパネルがパネル固定部材から自由に吊り下げられている複数の中間パネル及び最下段パネルと、
上部長手方向部分近くの開放部材に固定された最下段パネルと、
を含むウィンドウカバー。
【請求項２】
前記複数のパネルが一部重なり合う関係にある、請求項１に記載のウィンドウカバー。
【請求項３】
前記パネルが、留め具モジュールにより前記固定部材に取り外し可能に固定される、請求項１に記載のウィンドウカバー。
【請求項４】
第２開放部材を更に含み、第２開放部材は上部パネルの上部長手方向部分へ固定され、且つ前記頭部レールに対して相対的に上部パネルを下げるように適合されている、請求項１に記載のウィンドウカバー。
【請求項５】
前記パネルの下部長手方向部分が加重端部部材を含む、請求項１に記載のウィンドウカバー。
【請求項６】
前記固定部材が固定紐であり、前記開放部材が開放紐である、請求項１に記載のウィンドウカバー。
【請求項７】
前記固定部材が間隔を空けて配置した複数の輪を含み、各パネルの上部長手方向部分が操作できる状態で輪に固定されている、請求項６に記載のウィンドウカバー。
【請求項８】
前記開放部材の調整により、前記複数のパネルが後方に積み重ねられる、請求項１に記載のウィンドウカバー。
【請求項９】
ウィンドウカバーであって、
固定部材と、
引っ込めたり伸ばしたりするように適合された少なくとも１つの開放部材と、
複数のパネルであって、各パネルは固定部材に沿って一定の間隔で固定部材に固定された上部長手方向部分を有し、且つ固定部材から分離した下部長手方向部分を有する複数のパネルと、
上部長手方向部分の近くで開放部材に固定された、複数のパネルに属する最下段パネルと、
を含むウィンドウカバー。
【請求項１０】
少なくとも１つのパネルの下部長手方向部分が、隣接する下のパネルの上部長手方向部分に一部重なり合う、請求項９に記載のウィンドウカバー。
【請求項１１】
前記パネルが、留め具モジュールにより前記固定部材に取り外し可能に固定される、請求項１０に記載のウィンドウカバー。
【請求項１２】
第２開放部材を更に含み、第２開放部材は上部パネルの上部長手方向部分へ固定され、且つ前記最下段パネルに対して相対的に上部パネルを下げるように適合されている、請求項９に記載のウィンドウカバー。
【請求項１３】
前記パネルの下部長手方向部分が加重端部部材を含む、請求項９に記載のウィンドウカバー。
【請求項１４】
前記固定部材が間隔を空けて配置した複数の輪を含む紐であり、各パネルの上部長手方向部分が操作できる状態で輪に固定されている、請求項９に記載のウィンドウカバー。
【請求項１５】
前記開放部材の調整により、前記複数のパネルが後方に積み重ねられる、請求項９に記載のウィンドウカバー。
【請求項１６】
開放位置と遮蔽位置を有するウィンドウカバーであって、
固定紐と、
引っ込めたり伸ばしたりするように適合された少なくとも１つの開放紐と、
複数の自由に吊り下げられたパネルであって、前記パネルの少なくとも１つは、前記固定紐に固定された上部長手方向部分を有し、且つ前記固定紐から分離した下部長手方向部分を有し、下部長手方向部分が隣接する下のパネルの上部長手方向部分に一部重なり合う複数のパネルと、
上部長手方向部分の近くで前記開放紐に固定された、複数のパネル内の最下段パネルと、
ウィンドウカバーを閉じた位置から開いた位置へ動かすために調整されるように適合された前記開放紐であって、前記開放紐の調整により前記複数のパネルを後方に積み重ねる前記開放紐と、
を含むウィンドウカバー。
【請求項１７】
前記パネルが、留め具モジュールにより前記固定紐に取り外し自在に固定される、請求項１６に記載のウィンドウカバー。
【請求項１８】
前記パネルの下部長手方向部分が加重端部部材を含む、請求項１６に記載のウィンドウカバー。
【請求項１９】
最上段パネルの上部長手方向部分へ固定された第２開放紐を更に含み、第２開放紐はウィンドウカバーを閉じた位置から開いた位置へ動かすために調整されるように適合されている、請求項１６に記載のウィンドウカバー。
【請求項２０】
開放部材と、固定部材と、複数の中間パネルと、最下段パネルと、を含むウィンドウカバーを開く方法であって、各パネルはパネルの上部長手方向部分の近くで前記固定部材に固定され、前記パネルは前記固定部材に沿って一定間隔で前記固定部材に固定され、前記パネルは各パネルの下部長手方向部分が固定部材から分離された状態で前記固定部材から自由に吊り下げられ、前記最下段のパネルは上部長手方向部分の近くで前記開放部材に固定されており、前記方法は、
開放部材を引っ込めて、最下段のパネルを隣り合う１つ上のパネルの背後へ移動させる工程と、
最下段のパネル及び隣り合う１つ上のパネルが背後へ移動して隣り合う二つ上のパネルに積み重なるように、開放部材を引き続き引っ込める工程と、
を含む方法。
【発明の詳細な説明】
【技術分野】
【０００１】
本発明は、ウィンドウカバーの分野、特に複数のパネルを含むウィンドウカバーに関する。
【背景技術】
【０００２】
装飾用ウィンドウカバーは、プライバシーを提供し且つ日光を遮蔽するために、広く用いられている商品である。これらのウィンドウカバーは、ローマンシェード、ベネチアンブラインド、垂直ブラインド、ハニカムシェード等の種々の形態をとる。これらのウィンドウカバーのいくつかは、開口部を覆い且つ一つ以上の操作部材を備えた調整機構に接続される一枚のパネル又は複数のパネルを含む。
【０００３】
例えば、ウィンドウカバーの広く用いられる一つのタイプは、ローマンシェードとして知られている。このタイプの日除けは、上端に沿って頭部レールに取り付けられた布地材料から成り、一定間隔で集められ、布地の表面を横切る一連の弱い折り目を生ずる。従って、典型的なローマンシェードは、段々滝のような又は弱い襞がついたような外観を示す。このようなローマンシェードは、引き上げられた時に、全体の日除けがウィンドウカバーの頂部近くに来るまで、水平な折り目又は襞をつけて下側から集められる。ある変形例ではウィンドウカバーの頂部が引き下げられることもある。日除けは、日除けに取り付けられた操作部材を引っ張ることにより操作される。操作部材は、通常、パネルの最下部に接着剤、超音波溶接、縫い付け、結び付け等で固定される。
【０００４】
従来のローマンシェードに対する代替物が、本明細書に援用される、２００３年５月１日出願の同時係属出願第１０／４２７，８２９号に開示されている。標準的なローマンシェードと異なり、同時係属出願第１０／４２７，８２９号で開示されたローマンシェードは、全体の日除けを引き上げることを必要とせずに、日除け面に隙間が生ずるように各列を開くことが出来る。
【０００５】
ウィンドウカバーのもう一つの一般的なタイプは、ベネチアンブラインドである。ベネチアンブラインドは、頭部レール内の調整機構によって操作される一対の梯子状物（ラダー）によって支持された複数の羽根板から構成される。梯子状物は、通常、頭部レールから吊り下げられて底部レールへと接続された一対の平行な紐を含む。この平行な紐に多数の横木がかけられており、羽根板を支持している。従来のベネチアンブラインドに対する代替物が、米国特許第６，７９２，９９６号として発行され、本明細書に援用される同時係属出願第１０／４１３，２００号に開示されている。この代替物は、非梯子状の操作部材を使用し、羽根板が閉じられた時に、羽根板が操作部材と操作紐用の孔を隠すことができるような構造を有する。
【０００６】
ローマンシェードとベネチアンブラインドは、審美的には満足なものであるが、開いていようが閉じていようが又は一部開いていようが通常の外観を保つ、直線的又は全般的に平坦な外観を有するウィンドウカバーが、ある場合には望まれることもある。本発明はそれに相応しいウィンドウカバーを提供する。
【０００７】
（発明の要約）
本発明は、新規で且つ改善されたウィンドウカバーを提供する。ウィンドウカバーは頭部レールを含み、頭部レールは、頭部レールから吊り下げられた開放部材の上げ下げを操作するように適合されている、紐止めなどの操作機構を有する。紐などの固定部材も頭部レールから吊り下げられている。複数のパネルは、パネルの上部長手方向部分の近くで固定部材と固定される。各パネルは、実質的に均等な一定間隔で固定部材に固定される。パネルは、パネルの下部長手方向部分が固定部材乃至は開閉部材と接続されず、パネルが固定部材から垂直に釣り下がる状態で、自由に吊り下げられる。パネルの下部長手方向部分の近くに、加重端部部材が含まれてもよい。
【０００８】
好ましくは、複数のパネルは互いに一部重なり合う関係にある。詳細には、パネルの下部長手方向部分が、隣接するその下のパネルの上部長手方向部分と一部重なり合う。従って、ウィンドウカバーが閉じられた時、光を室内に入れるような隙間がパネル間には存在しない。同様に、開放部材及び固定部材は、ウィンドウカバーが閉じた位置にある時、一部重なり合うパネルによって隠される。
【０００９】
複数のパネルの最下段パネルは、上部長手方向部分の近くで開放部材に固定される。その他のパネルは頭部レールと最下段パネルの間に位置し、開放部材とは接続されない。言い換えれば、開放部材の調整操作は最下段パネルのみを直接動かす。いくつかの実施形態においては、追加の開放部材が含まれて、別のパネルに固定されることがある。このような構造の一例を、以下で更に詳細に吟味する。
【００１０】
ウィンドウカバーを開けるためには、使用者は開放部材を引っ張るか又は引っ込めて、最下段パネルを引き上げるが、一方残りのパネルは静止位置に留まっている。最下段パネルは、隣り合うその上のパネルと実質的に平行で且つその背後に上向きに移動する。開放部材を引き続き引っ込めることによって、最下段の上部長手方向部分が隣り合うその上のパネルの上部長手方向部分に接する。それ故、最下段パネルは、それ以上、隣り合うその上のパネルと独立に上方に向かって移動することはできない。従って、最下段パネルと隣接するその上のパネルとは、隣り合う更に一つ上のパネルの背後へ一緒に移動する。開放部材が引っ込められると、各パネルは、この方式で後方に積み重ねられる。
【００１１】
パネルをこの方式で後方に積み重ねることにより、ウィンドウカバーが開いた時に個々のパネルの垂直で直線的な輪郭（プロファイル）が保たれる。従って、ウィンドウカバーが完全に閉じている、部分的に開いている、又は完全に開いているのいずれであろうと、ウィンドウカバーの審美的な外観は大部分が変わらずに保たれる。
【００１２】
本発明の代替的な実施形態は、ウィンドウカバーを開ける他の方法として、種々のパネルを下ろす可能性を提供している。ウィンドウカバーは、前の実施形態と同様にパネルの列を含んでいる。垂れ布パネルは頭部レールに直接固定される。複数の追加パネルは、頭部レールから操作部材によって吊り下げられている。最上段パネルの上部長手方向部分は、最上段パネルが頭部レールに操作できる状態で接続されるように、第１の開放部材に固定される。固定部材は、最上段パネルの上部長手方向部分に固定され、垂れ布パネルを除いて、その他のパネルの上部長手方向部分にも固定される。固定部材は、頭部レールとは接続されない。
【００１３】
複数のパネルの最下段パネルは、同様にその上部長手方向部分の近くで、第２の開放部材に固定される。第２開放部材は、頭部レールから吊り下げられており、操作できるように操作部材と調整されている。その他のパネルは、第２開放部材とは固定されない。
【００１４】
ウィンドウカバーを開けるために、使用者は第２開放部材を引っ張るか又は引っ込めて、最下段パネルを引き上げてもよく、その間残りのパネルは上で説明したように静止位置に留まっている。ウィンドウカバーを、第１開放部材を下げて最上段パネルを下ろすことにより開いてもよい。どちらの場合も、最下段パネルの隣り合うその上のパネルに対する相対的な位置は、最下段パネルが隣り合うその上のパネルの背後にそれと実質的に平行に配置されるように、調整される。
【００１５】
例えば、第２開放部材を上げると、最下段パネルは、隣り合うその上のパネルに実質的に平行で且つその背後へ上向きに移動する。開放部材を引き続き引っ込めることによって、最下段の上部長手方向部分が隣り合うその上のパネルの上部長手方向部分に接する。それ故、最下段パネルは、それ以上、隣り合うその上のパネルとは独立に上向きに移動することはできない。従って、最下段パネルと隣接するその上のパネルとは、隣り合う更に一つ上のパネルの背後へ一緒に移動する。開放部材が引っ込められると、パネルは、この方式で後方に積み重ねられる。対照的に、第１開放部材が下げられると、最下段パネルより上の複数のパネルが、最下段パネルに隣り合う上のパネルが最下段パネルの前方を実質的にそれと平行に移動するように、下方に移動する。パネルは一部重なり合うので、引き続くパネルは既に積み重ねられたパネルの前方に積み重ねられる。第１及び第２開放部材をどのような組合せで操作してもよい。例えば、第２開放部材が全パネルを下ろして積み重ねる場合、第１開放部材が全部の積み重ねを引き上げてもよい。
【００１６】
本発明のウィンドウカバーにおける好ましい特徴の一つは、パネルが固定部材及び開放部材に固定される方式を含む。各パネルは、固定部材と開放部材に留め具モジュールで固定され得る。一つの実施形態において、留め具モジュールは、パネルの上部長手方向部分に固定できるクリップ部材と、ハウジング及び係合部材を備えたバックル部材と、を含み、バックル部材は、固定部材に対する取り外し可能且つ選択可能な固定に適している。好ましい実施形態においては、固定部材は、一定間隔で配置された複数の輪を含む紐であって、各パネルの上部長手方向部分は操作できるように輪に固定される。特に適した留め具モジュールは、本明細書に援用される、「ウィンドウカバー用留め具モジュール及び方法」と題して２００４年１０月２１日に出願された同時係属出願第１０／９７０，４２８号に記述されている。
【発明を実施するための最良の形態】
【００１７】
本明細書に開示した発明は、勿論、多くの異なった形態で実施可能である。図面に示され且つ以下に詳細に記述されているのは、発明の好ましい実施形態である。しかし、本開示内容は発明の原理の例示であって、発明を例示した実施形態に限定するものではないことを理解すべきである。説明を簡単にするために、本発明を具現しているウィンドウカバーは、添付した図面に示すように通常の組立位置において説明されており、上部、下部、水平方向、長手方向などの表現は、本明細書ではこの通常の位置に関して用いられる。
【００１８】
本発明の一実施形態によるウィンドウカバーを、図１〜３を参照して説明する。ウィンドウカバー１０は頭部レール１２を含み、頭部レール１２は、頭部レール１２から吊り下げられている開放紐１６など開放部材の上げ下げを操作するように適合された紐止め１４など操作機構を含む。固定紐１８などの固定部材もまた、頭部レール１２から吊り下げられている。固定紐１８と開放紐１６とは、ウィンドウカバー１０の背後を通って下に伸びている。固定紐１８は、間隔を空けて配置された複数の輪（ループ）２０を含むことが好ましい。複数の中間パネル２２ａ〜２２ｅと最下段パネル２２ｆが固定紐１８に、パネル２２の上部長手方向（水平）部分２４の近くで、いくつかの間隔を空けて配置された輪２０の所などで固定されている。パネルは、織った又は不織の布地、紙、積層板（ラミネート）、フィルム（薄膜）等から作られ得る。パネル２２ａ〜２２ｆの下部長手方向（水平）部分２６ａ〜２６ｆが固定部材１８又は開放部材１６と接続されないように、パネルが固定部材１８から自由に吊り下げられている。複数のパネルの最下段パネル２２ｆは、最下段パネル２２ｆの上部長手方向部分３０の近くで、開放部材１６と固定されている。底部レール２８も、最下段パネル２２ｆと固定されている。中間パネル２２ａ〜２２ｅは開放部材とは固定されていない。垂れ布（覆い、金具隠し）パネル４４も備えている。この垂れ布パネル４４は、パネル２２と基本的に同じ構造を有し且つ補剛細片（ストリップ）４５を含んでおり、頭部レール１２に直接クリップで取り付けられ、それ以外にパネル２２ａ〜２２ｆとは接続されていない。
【００１９】
パネル２２ａ〜２２ｆは、閉じた位置にある時、ウィンドウカバー１０を光が通過できないよう互いに一部重なっている。また、一部重なり合ったパネル２２ａ〜２２ｆは、パネルの背後に延伸している開放部材１６と固定部材１８を、ウィンドウカバー１０の表から見たときに見えないようにする。
【００２０】
各中間パネル２２ａ〜２２ｅは、下部長手方向部分２６ａ〜２６ｅの近くに配置された補剛細片３２ａ〜３２ｅなどの加重端部部材を含む。底部レール２８は、最下段パネル２２ｆの加重端部部材として働く。補剛細片３２ａ〜３２ｅ及び底部レール２８は、織りや被覆などによる材料の偏りが克服されてパネル２２ａ〜２２ｆが真っ直ぐに垂れ下がるように、パネル２２ａ〜２２ｆに重力を働かせるのに適している。この加重端部部材は、棒、圧延された材料、クリップ等の形をとってもよい。
【００２１】
ウィンドウカバー１０を開けるために、使用者は開放部材１６を引っ張るか又は引っ込めて、最下段パネル２８を、残りのパネルは静止位置に留まったままで引き上げる。図４を参照すると、最下段パネル２２ｆは、隣り合うその上のパネル２２ｅと実質的に平行で且つその背後に上向きに移動する。開放部材１６を引き続き引っ込めることによって、最下段２２ｆの上部長手方向部分３０が隣り合う上のパネル２２ｅの上部長手方向部分３８に接する。それ故、最下段パネル２２ｆは、それ以上、隣り合う上のパネル２２ｅに対して相対的に上方へ移動することはできない。開放部材１６が更に引っ込められると、最下段パネル２２ｆと隣接するその上のパネル２２ｅとは、隣り合う更に一つ上のパネル２２ｄの背後へ一緒に移動する。開放部材１６が引っ込められると、図５に示すようにパネル２２ａ〜２２ｆが後方に積み重ねられるまで、パネル２２ａ〜２２ｆは、この方式で後方に向かって積み重ねられる。
【００２２】
示されているように、パネルを後方に積み重ねることは、ウィンドウカバー１０が開いた時にパネル２２ａ〜２２ｆの垂直で直線的な輪郭が保たれるようなウィンドウカバー１０を提供することになる。従って、ウィンドウカバーが完全に閉じている（図１）、部分的に開いている（図４）、又は完全に開いている（図５）のいずれであろうと、ウィンドウカバー１０の審美的な外観は大部分が変化しないで保たれる。
【００２３】
図６及び図７を参照すると、パネル２２が積み重ねられる時、固定紐１８はウィンドウカバー１０の面４２の背後に折り曲げられ、又は集められる。紐止め１４などの操作機構をロックすることにより、開放部材１６はパネル２２ａ〜２２ｆを正しい位置に保持する。パネル２２ａ〜２２ｆの一部重なり合う関係が完全に閉じた位置、部分的に開いた位置、及び完全に開いた位置において保持されるので、固定紐１８はウィンドウカバーの前面からは見えない。
【００２４】
パネル２２ａ〜２２ｆは、留め具モジュール４６を用いて固定紐１８に取り外し可能に固定されることが好ましい。適切な留め具モジュール４６の例を図８に示す。留め具モジュール４６は、バックル（留め金具）４８とクリップ（挟み金具）５０とを含み、好ましくは熱可塑性樹脂、軽金属などの弾性材料から作られる。クリップ５０は、摩擦係合によって、又はクリップ５０を構成している材料の弾性的性質によって及ぼされるようなクリップ５０により加えられる機械力によって、パネルに付属する丸棒（ダウエル）５２など（図６）のアンカー部材に固定することができる。バックル４８は、ハウジング（囲い、枠）５４と、横棒５６などの係合部材と、を含む。横棒５６は第１端部と第２端部６２を含み、第１端部は、ハウジング５４に固定されるか又はハウジング５４と一体化され、第２端部６２は、孔６６に押し込むことによりタブ（つまみ）部材６４と係合される。
【００２５】
固定紐１８によって画定される輪２０など（図２）のパネルにおける輪を貫通する横棒５６によって、固定紐１８は留め具モジュール４６と結合する。開放紐１６は、留め具モジュール４６のハウジング５４を貫通するが、ハウジング５４には固定されない。従って、開放紐１６が引っ込められるか又は延伸されると、開放紐１６はハウジング５４を貫通し、留め具モジュール４６が開放紐１６の紐ガイドとして働くように、ハウジングに対して自由に移動する。
【００２６】
本発明の代替的な実施形態について、図９〜１４を参照して説明する。ウィンドウカバー１１０は、頭部レール１１２、垂れ布パネル１４４、及び複数のパネル１２２ａ〜１２２ｆを含む。垂れ布パネル１４４及びその他のパネル１２２ａ〜１２２ｆは、隙間の無い表面を提供するように互いに一部重なり合っている。図９に示すように、閉じた位置にあるウィンドウカバー１１０の代替的な実施形態の外観は、前の実施形態と実質的に同じである。しかし、パネルを上げてウィンドウカバー１１０を開けるだけではなく、パネルを下げることによってもウィンドウカバー１１０が開けられるという点で、ウィンドウカバー１１０の操作が幾らか異なっている。
【００２７】
図９〜１１を参照して、ウィンドウカバー１１０の更なる特徴を示す。複数のパネル１２２ａ〜１２２ｆは、操作部材により頭部レール１１２から吊り下げられている。最上部１３０ａを規定する最上段パネル１２２ａは、紐止め１１９（図１０）により調整できるように操作される、第１開放紐１１７などの第１開放部材に固定される。固定紐１１８などの固定部材が、最上段パネル１２２ａの最上部１３０ａを、他のパネル１２２ｂ〜１２２ｆの最上部１３０ｂ〜１３０ｆと固定する。
【００２８】
複数のパネルの最下段パネル１２２ｆは、その上部長手方向部分１３０ｆの近くで第２開放紐１１６などの第２開放部材に固定される。第２開放紐１１６は、頭部レール１１２から吊り下げられ、紐止め１１４などの操作機構で操作可能な状態に調整されている。その他のパネル１２２ａ〜１２２ｅは、第２開放紐１１６には固定されていない。
【００２９】
ウィンドウカバー１１０を開けることは、多数の異なった方法で達成され得る。一つの方法は、図１〜７の実施形態で説明したように、第２開放紐１１６を引っ張って最下段パネル１２２ｆを上げることである。代わりに、第１開放紐１１７を下げて最上段パネル１２２ａを下ろすことによって、ウィンドウカバー１１０を開けてもよい。図１２を参照して、第１開放紐１１７が下げられると、中間パネル１２２ａ〜１２２ｅが最下段パネル１２２ｆに対し相対的に下げられて、パネル１２２ｅ及び１２２ｄなどのパネルが、最下段パネル１２２ｆと積み重ねられる。第１開放紐１１７が完全に下げられると、パネル１２２ａ〜１２２ｆは図１３に示すようにウィンドウカバー１１０の下側に積み重ねられる。
【００３０】
第１開放紐１１７と第２開放紐１１６は、互いに連動して操作され得る。例えば、図１４に示すように、第１開放紐１１７は、パネル１２２ｅが最下段パネル１２２ｆに積み重ねられるように、部分的に下げられている。第２開放紐１１６は、最下段パネル１２２ｆ及びパネル１２２ｅがパネル１２２ｃ及び１２２ｄと一緒に積み重ねられるように、引き上げられている。
【００３１】
図１５〜１８を参照して、本発明の更に他の実施形態を示す。前の実施形態と同様、図１５に示したように、ウィンドウカバー２１０は、頭部レール２１２と、開放部材２１６と、垂れ布パネル２４４と、複数のパネル２２２ａ〜２２２ｆと、を含む。しかし、図１６及び図１７を参照すると、パネルは二組に分けられる。詳細には、パネル２２２ａ、２２２ｃ、及び２２２ｅが一方の組であり、パネル２２２ｂ、２２２ｄ、及び２２２ｆが他方の組である。この変形例は、パネル２２２ｂ、２２２ｄ、及び２２２ｆなどの第１組のパネルを、パネル２２２ａ、２２２ｃ、及び２２２ｅなどの第２組のパネルに対して相対的に移動させるという任意の特徴を提供した。第１開放紐２１６は、パネル２２２ａ、２２２ｃ、及び２２２ｅの上部長手方向部分に固定される。パネル２２２ｂ、２２２ｄ、及び２２２ｆは、固定紐２１８に固定される。パネル２２２ｆは、第２開放紐２１７にも固定される。
【００３２】
第１開放紐２１６を引っ張ることによりパネル２２２ａ、２２２ｃ、及び２２２ｅが引き上げられ、垂れ布パネル２４４とパネル２２２ｂ及び２２２ｄの背後にそれぞれ移動する。第２開放紐２１７を引っ込めると、最下段パネル２２２ｆが上がり、先に説明したようにウィンドウカバー２１０全体を開ける。
【００３３】
本発明の更に他の実施形態を図１９に示す。この実施形態では、ウィンドウカバー３１０のパネル３２２ａ〜３２２ｅが二つの群に分けられる。第１群は、パネル３２２ａと３２２ｂから成り、第２群はパネル３２２ｃ〜３２２ｅから成る。パネル３２２ｅと３２２ｂの上部長手方向部分が第１開放紐３１６に固定される。パネル３２２ａ、３２２ｃ、及び３２２ｄが固定紐３１８に固定される。最下段パネル３２２ｆは、第２開放紐３１７に固定される。この実施形態において、第１開放紐３１６を上げると、パネル３２２ｅと３２２ｂが上がりパネル３２２ｄと３２２ａの背後にそれぞれ移動する。第１開放紐３１６が更に引き上げられると、パネル３２２ａと３２２ｂは、垂れ布パネル３４４の背後に積み重ねられ、パネル３２２ｄと３２２ｅは、パネル３２２ｃと積み重ねられる。３２２ａ〜３２２ｆの各パネルは、第２開放紐３１７を引き上げることにより上げてもよい。
【００３４】
説明した実施形態において、パネルは寸法が均一であるとして説明されている。しかし、パネルが積み重ねられた時、積み重ねられたパネルを完全に隠すように、徐々に幅が狭くなるようなパネルであってもよい。
【００３５】
以上の説明及び添付された図面は本発明を例示したものである。本発明の精神と範囲を逸脱することなく、更に他の変形及び部品の配置が可能である。
【図面の簡単な説明】
【００３６】
【図１】図１は、閉じた位置にある本発明のウィンドウカバーに関する好ましい実施形態の斜視正面図である。
【図２】図２は、図１のウィンドウカバーの右側立面図である。
【図３】図３は、図１のウィンドウカバーの左側立面図である。
【図４】図４は、一部開いた位置にある図１のウィンドウカバーの斜視正面図である。
【図５】図５は、完全に開いた位置にある図１のウィンドウカバーの斜視正面図である。
【図６】図６は、完全に開いた位置にある図５のウィンドウカバーの右側立面図である。
【図７】図７は、完全に開いた位置にある図５のウィンドウカバーの左側立面図である。
【図８】図８は、本発明での使用に適した留め具モジュールの拡大斜視図である。
【図９】図９は、本発明によるウィンドウカバーの代替的な実施形態の正面斜視図である。
【図１０】図１０は、図９のウィンドウカバーの背面斜視図である。
【図１１】図１１は、図１０の一部の拡大斜視図である。
【図１２】図１２は、一部開いた位置にある図９のウィンドウカバーの背面斜視図である。
【図１３】図１３は、完全に開いた位置にある図９のウィンドウカバーの正面斜視図である。
【図１４】図１４は、他の一部開いた位置にある図１３のウィンドウカバーの背面斜視図である。
【図１５】図１５は、本発明による、閉じた位置にあるウィンドウカバーに関する他の実施形態の正面斜視図である。
【図１６】図１６は、一部開いた位置にあるウィンドウカバーを備えた、図１５の実施形態の正面斜視図である。
【図１７】図１７は、一部開いた位置にあるウィンドウカバーを備えた、図１５の実施形態の背面斜視図である。
【図１８】図１８は、図１７の拡大部分である。
【図１９】図１９は、本発明による、一部開いた位置にあるウィンドウカバーに関する更に他の実施形態の正面斜視図である。
【図１】
2006283496.tif 000003
【図２】
2006283496.tif 000004
【図３】
2006283496.tif 000005
【図４】
2006283496.tif 000006
【図５】
2006283496.tif 000007
【図６】
2006283496.tif 000008
【図７】
2006283496.tif 000009
【図８】
2006283496.tif 000010
【図９】
2006283496.tif 000011
【図１０】
2006283496.tif 000012
【図１１】
2006283496.tif 000013
【図１２】
2006283496.tif 000014
【図１３】
2006283496.tif 000015
【図１４】
2006283496.tif 000016
【図１５】
2006283496.tif 000017
【図１６】
2006283496.tif 000018
【図１７】
2006283496.tif 000019
【図１８】
2006283496.tif 000020
【図１９】
2006283496.tif 000021
【外国語明細書】
2006283496.tif 000022
2006283496.tif 000023
2006283496.tif 000024
2006283496.tif 000025
2006283496.tif 000026
2006283496.tif 000027
2006283496.tif 000028
2006283496.tif 000029
2006283496.tif 000030
2006283496.tif 000031
2006283496.tif 000032
2006283496.tif 000033
2006283496.tif 000034
2006283496.tif 000035
2006283496.tif 000036
2006283496.tif 000037
2006283496.tif 000038
2006283496.tif 000039
2006283496.tif 000040
2006283496.tif 000041
2006283496.tif 000042
2006283496.tif 000043
2006283496.tif 000044
2006283496.tif 000045
2006283496.tif 000046
2006283496.tif 000047
2006283496.tif 000048
2006283496.tif 000049
2006283496.tif 000050
2006283496.tif 000051
2006283496.tif 000052
2006283496.tif 000053
2006283496.tif 000054
2006283496.tif 000055
2006283496.tif 000056
2006283496.tif 000057
2006283496.tif 000058
2006283496.tif 000059
2006283496.tif 000060